【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
それぞれ裏面を有するモジュラ型タイルを床の表面に固着することなく、床の表面上にモジュラ型タイルを設置するためのコネクターであって、
ａ．フィルムと、
ｂ．前記フィルムの一面に配置された接着剤の層と、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であり、
ｃ．タイル設置を容易にする位置合わせ用の印と、を備えるコネクター。
【請求項２】
印は十字形である請求項１に記載のコネクター。
【請求項３】
印は線である請求項１に記載のコネクター。
【請求項４】
印は点である請求項１に記載のコネクター。
【請求項５】
印はブロックである請求項１に記載のコネクター。
【請求項６】
印は２色を含む請求項１に記載のコネクター。
【請求項７】
印はコネクターを四象限に分ける請求項１に記載のコネクター。
【請求項８】
四象限は２色を含む請求項７に記載のコネクター。
【請求項９】
床の表面上にモジュラ型タイルを設置する方法であって、
その一面に接着剤を伴うフィルムを備えたコネクターを提供することと、
第１のタイルを、第１のタイルの裏面が床表面に乗せられた状態で、床表面上の第１のタイルのための所望の設置位置近くに置くことと、
第１の手を用いて第１のタイルの一部分を持ち上げることと、
第２の手を用いて第１のタイルの一部分の裏面にコネクターを付着することと、それにおいてコネクターのフィルムの一面の上の接着剤は第１のタイルの一部分の裏面に接着し、コネクターの露出された部分がタイルの縁を超えて延在しており、
第２のタイルを、床表面上の、第１のタイルに隣接した第２のタイルのための所望の設置位置近くに且つコネクターの露出された部分の上に配置することと、を含むモジュラ型タイルの設置方法。
【請求項１０】
ディスペンサーを使用してコネクターを提供することをさらに備える請求項９に記載の方法。
【請求項１１】
接着面側を上に向けてコネクターを提供することをさらに備える請求項９または請求項１０に記載の方法。
【請求項１２】
それぞれ裏面を有するモジュラ型タイルを床の表面に固着することなく、床の表面上でモジュラ型タイルを結合するためのコネクターであって、
フィルムと、
前記フィルムの一面に配置された接着剤の層とを備え、該接着剤の層は水性接着剤を含み、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であるコネクター。
【請求項１３】
接着剤の揮発性有機化合物の含有量が低い請求項１２に記載のコネクター。
【請求項１４】
接着剤は揮発性有機化合物を含有しない請求項１２に記載のコネクター。
【請求項１５】
接着剤は可塑剤耐性を有する請求項１２に記載のコネクター。
【請求項１６】
それぞれ裏面を有するモジュラ型タイルを床の表面に固着することなく、床の表面上でモジュラ型タイルを結合するためのコネクターであって、
フィルムと、
前記フィルムの一面に位置付けられた接着剤の層とを備え、該接着剤の層はアクリル系接着剤を含み、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であるコネクター。
【請求項１７】
接着剤の揮発性有機化合物の含有量は低い請求項１６に記載のコネクター。
【請求項１８】
接着剤は揮発性有機化合物を含有しない請求項１６に記載のコネクター。
【請求項１９】
接着剤は可塑剤耐性を有する請求項１６に記載のコネクター。
【請求項２０】
接着剤は主にアクリレートターポリマーである請求項１６に記載のコネクター。
【請求項２１】
接着剤は粘着付与されたアクリレートコポリマーである請求項１６に記載のコネクター。
【請求項２２】
それぞれ裏面を有するモジュラ型タイルを床の表面に固着することなく、床の表面上にモジュラ型タイルを設置するためのシステムであって、
ａ．コネクターであって、各々は（ｉ）フィルムと、（ｉｉ）前記フィルムの一面に配置された剥離可能な接着剤の層と、を含み、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であるコネクターと、
ｂ．剥離層のストリップであって、該剥離層のストリップの上には複数のコネクターの各々の接着剤の層が、剥離層と複数のコネクターの各々のフィルムとの間に位置するように複数のコネクターが位置付けられており、複数の個別のコネクターはそれぞれが剥離層から別々に取り外されるように適合されている、剥離層のストリップと、
ｃ．コネクターディスペンサーであって、
（ｉ）剥離層のストリップ用の筺体と、
（ｉｉ）少なくとも部分的に筺体の外側に突出する突起であって、剥離層が突起を超えて引っ張られる時、少なくともコネクターの一部分が少なくとも部分的に剥離層から引き離される突起とを含むコネクターディスペンサーと、を備えるモジュラ型タイルの設置システム。
【請求項２３】
剥離層のストリップは巻かれている請求項２２に記載のシステム。
【請求項２４】
接着層は剥離可能な接着剤を含む請求項２２または請求項２３に記載のシステム。
【請求項２５】
接着剤の層とタイルの裏面との間の結合が断たれた後に、コネクターはタイルの裏面と再結合可能である請求項２２〜２４のうちのいずれか１項に記載のシステム。
【請求項２６】
フィルムと接着層との間に下塗りコートをさらに備える請求項２２〜２５のうちのいずれか１項に記載のシステム。
【請求項２７】
コネクターをユーザーに提供するためのディスペンサーであって、筐体を含み、該筺体はコネクターがディスペンサーから出ていくための開口部を有し、
各コネクターはフィルムと、該フィルムの一面に位置付けられた接着剤の層とを含み、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であるディスペンサー。
【請求項２８】
剥離材料からのコネクターの剥離を制御するアクチュエーターをさらに備え、該アクチュエーターの動きによってコネクターが剥離材料から剥離され、開口部を通ってユーザーに差し出される、請求項２７に記載のディスペンサー。
【請求項２９】
アクチュエーターが開始位置から、筺体の側面に沿った線状の経路に沿って最終位置まで可動である請求項２８に記載のディスペンサー。
【請求項３０】
アクチュエーターの開始位置がユーザーの手が置かれる位置の近くに位置している請求項２８または請求項２９に記載のディスペンサー。
【請求項３１】
アクチュエーターの最終位置が開口部の近くに位置している請求項２８〜３０のうちのいずれか１項に記載のディスペンサー。
【請求項３２】
コネクターは剥離材料に付着している請求項２７〜３１のうちのいずれか１項に記載のディスペンサー。
【請求項３３】
ベルトループをさらに備える請求項２７〜３２のうちのいずれか１項に記載のディスペンサー。
【請求項３４】
ユーザーの一部分に巻き付くためのストラップをさらに備える請求項２７〜３３のうちのいずれか１項に記載のディスペンサー。
【請求項３５】
床材の表面上のカーペットの設置中にコネクターをカーペット設置者にディスペンスする方法であって、
複数のコネクターを有する剥離材料を含み且つ剥離材料からのコネクターの剥離およびディスペンサーの開口部を通してのコネクターの剥離を制御するアクチュエーターを有するディスペンサーを提供することと、
ディスペンサーをカーペット設置者に取り付けることと、
アクチュエーターを動かして、剥離材料からコネクターを剥離させ、開口部を通してユーザーに差し出させることと、
開口部におけるコネクターが差し出される位置から該コネクターをつかむことと、
コネクターをカーペットの裏面に付着することと、を含む方法。
【請求項３６】
それぞれ裏面を有するモジュラ型タイルを床の表面に固着することなく、床の表面上にモジュラ型タイルを設置するためのコネクターの束であって、
少なくとも第１のコネクターと第２のコネクターとを含み、該第１及び第２のコネクターは各々が接着剤の層を有する接着面と、該接着面と反対側の面とを有するフィルムを含み、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であり、
第１のコネクターおよび第２のコネクターは互いに剥離可能に付着しているコネクターの束。
【請求項３７】
束はディスペンサー中にある請求項３６に記載のコネクターの束。
【請求項３８】
第１のコネクターおよび第２のコネクターは互いに隣接し、かつ同様の方向に方位付けられ、第１のコネクターの接着層が第２のコネクターの反対側面に付着している請求項３６または請求項３７に記載のコネクターの束。
【請求項３９】
第２のコネクターの反対側面は剥離コーティングを備える請求項３６〜３８のうちのいずれか１項に記載のコネクターの束。
【請求項４０】
第１のコネクターおよび第２のコネクターが互いに隣接しかつ同様の方向に方位付けられ、第１のコネクターの接着層が剥離材料に付着しておりかつ第２のコネクターの反対側面が剥離材料に付着している請求項３６〜３９のうちのいずれか１項に記載のコネクターの束。
【請求項４１】
それぞれ裏面を有するモジュラ型タイルを床の表面に固着することなく、床の表面上にモジュラ型タイルを設置するための方法であって、
コネクターの束を提供することと、該コネクターの各々は接着剤の層を有する接着面と該接着面と反対側の面とを有するフィルムを含み、コネクターは、隣接するタイルの隣接する縁にかけ渡されて接着剤の層が隣接するタイルの各々の裏面に接触する時に、接着剤の層が隣接するタイルの縁の一部分のみに沿って延在しつつ隣接するタイル間の相対的な動きを防止するように、該接着剤の層がタイルの裏面との間に結合を形成することが可能であり、
コネクターの束からコネクターを取り外すことと、
一つのタイルの裏面にコネクターを付着することと、を備える方法。
【請求項４２】
ディスペンサー中にコネクターの束を提供することをさらに備える請求項４１に記載の方法。
【請求項４３】
コネクターの束が、互いに隣接している第１のコネクターおよび第２のコネクターをさらに含み、第１のコネクターの接着層を第２のコネクターの反対側面に付着する請求項４１または請求項４２に記載の方法。
【請求項４４】
第２のコネクターの反対側面は剥離コーティングを備える請求項４３に記載の方法。
【請求項４５】
コネクターの束は互いに隣接している第１のコネクターおよび第２のコネクターをさらに含み、第１のコネクターの接着層が剥離材料に付着しておりかつ第２のコネクターの反対側面が剥離材料に付着している請求項４１または請求項４２に記載の方法。
【請求項４６】
床の表面上にタイルを設置するユーザーにコネクターを提供するためのディスペンサーであって、
コネクターがディスペンサーから出ていくための開口部を有する、コネクター用筺体と、
手の動きによって第１の位置から第２の位置まで作動されるアクチュエーターとを備え、第２の位置は第１の位置よりも床の表面上の所望の位置に近く、第２の位置は第１の位置よりも筺体の開口部に近い、ディスペンサー。
【請求項４７】
開口部は、ユーザーの手の第２部分がアクチュエーターの第２の位置においてアクチュエーターに触れるのと同時に、ユーザーの手の第１部分が開口部に接触可能となるように、アクチュエーターの第２の位置から手の届く範囲内にある請求項４６に記載のディスペンサー。